(57)【要約】【課題】複合コンテンツファイルを分割した場合に、その再生時に映像と音声とのずれをユーザに感じさせることのないようにすること。【解決手段】複合コンテンツファイルに含まれる各メディアデータを時間軸上で分割し、時間的に先に再生されるべき第１複合コンテンツファイルと後に再生されるべき第２複合コンテンツファイルとを生成するとともに、第２複合コンテンツファイルに含まれる各メディアデータの再生開始時における時間軸上の位置ずれに関する情報を同期情報として当該第２複合コンテンツファイルに付加する。【選択図】  図１８
2008153886.tif 000002
【特許請求の範囲】
【請求項１】
複数種類のメディアデータが多重化された複合コンテンツファイルを編集する方法であって、
前記複合コンテンツファイルに含まれる各メディアデータを時間軸上で分割し、時間的に先に再生されるべき第１複合コンテンツファイルと後に再生されるべき第２複合コンテンツファイルとを生成するとともに、
前記第２複合コンテンツファイルに含まれる各メディアデータの再生開始時における時間軸上の位置ずれに関する情報を同期情報として当該第２複合コンテンツファイルに付加する、
ことを特徴とする複合コンテンツファイルの編集方法。
【請求項２】
前記第１複合コンテンツファイルに、前記第１複合コンテンツファイルに含まれる各メディアデータの再生終了時における時間軸上の位置ずれに関する情報を同期情報として付加する、
請求項１記載の複合コンテンツファイルの編集方法。
【請求項３】
前記第１複合コンテンツファイルに、前記第２複合コンテンツファイルのファイル情報を同期情報として付加する、
請求項１または２記載の複合コンテンツファイルの編集方法。
【請求項４】
前記第２複合コンテンツファイルに、前記第２複合コンテンツファイルに含まれる各メディアデータの再生終了時における時間軸上の位置ずれに関する情報を同期情報として付加する、
請求項１乃至３のいずれかに記載の複合コンテンツファイルの編集方法。
【請求項５】
複数種類のメディアデータが多重化された複合コンテンツファイルを編集する方法であって、
入力されるメディアデータを時間軸上で分割して複数のメディアデータ群を生成するステップと、
前記各メディアデータ群について、各メディアデータの時間軸上の位置ずれに関する情報および次に連続して再生すべきメディアデータ群を特定するための情報を、同期情報として生成するステップと、
各メディアデータ群と当該各メディアデータ群についての同期情報とをそれぞれ組み合わせて複数の複合コンテンツファイルを生成するステップと、
を有することを特徴とする複合コンテンツファイルの編集方法。
【請求項６】
複数種類のメディアデータが多重化された複合コンテンツファイルを編集する装置であって、
入力されるメディアデータを時間軸上で分割して複数のメディアデータ群を生成する手段と、
前記各メディアデータ群について、各メディアデータの時間軸上の位置ずれに関する情報および次に連続して再生すべきメディアデータ群を特定するための情報を、同期情報として生成する手段と、
各メディアデータ群と当該各メディアデータ群についての同期情報とをそれぞれ組み合わせて複数の複合コンテンツファイルを生成する手段と、
を有することを特徴とする複合コンテンツファイルの編集装置。
【請求項７】
複数種類のメディアデータが多重化された複合コンテンツファイルを再生する装置であって、
前記複合コンテンツファイルに付加された同期情報を取得する同期情報取得手段と、
前記同期情報の中から、各メディアデータの再生時における時間軸上の位置ずれに関する情報を抽出する位置ずれ情報抽出手段と、
前記同期情報の中から、当該複合コンテンツファイルの次に連続して再生すべき複合コンテンツファイルのファイル情報を抽出するファイル情報抽出手段と、
抽出した時間軸上の位置ずれに関する情報に基づいて、各メディアデータの再生時における再生時間を補正する補正手段と、
抽出した前記ファイル情報に基づいて次の複合コンテンツファイルを読み出し、再生中の当該複合コンテンツファイルの再生が終了したときにそれに連続して再生されるように、当該再生中の複合コンテンツファイルに含まれる各メディアデータの中で再生が終了したメディアデータごとにそれに連続するメディアデータを取得するメディアデータ取得手段と、
を有することを特徴とする複合コンテンツファイルの再生装置。
【請求項８】
前記補正手段は、前記同期情報の中から前記ファイル情報が抽出されない場合に、前記複合コンテンツファイルに含まれる各メディアデータの再生終了時における再生時間の補正を行う、
請求項７記載の複合コンテンツファイルの再生装置。
【発明の詳細な説明】
【技術分野】
【０００１】
本発明は、複数種類のメディアデータが多重化された複合コンテンツファイルを編集する方法および装置、並びに複合コンテンツファイルを再生する装置に関する。
【背景技術】
【０００２】
近年において、ビデオデータ、オーディオデータ、またはテキストデータなどの複数のメディアデータが多重化された複合コンテンツファイルが、携帯端末向けのコンテンツ配信サービスまたはストリーミング放送などに用いられている。そのような複合コンテンツファイルのファイルフォーマットの１つに、ＩＳＯ／ＩＥＣ  １４４９６規格のＰａｒｔ１４の項で規定されているＭＰ４ファイルフォーマット（以下「ＭＰ４」と記載する）がある。
【０００３】
ＭＰ４のシステムレイヤでは、複数種類のメディア（メディアデータ）が混在し、メディアの再生条件などの情報が格納されているヘッダ部と、メディアのストリームのみが格納されているメディアデータ部とが設けられる。このシステムレイヤでは、各メディアが時間順に多重化されるようにパケットに格納され、格納されたパケットのヘッダ情報として、メディア情報が含まれるヘッダ部（ムーブボックス）とメディアデータそれ自体が含まれるメディアデータ部（メディアデータボックス）とが完全に分離している。この点において、ＭＰ４は、ＭＰＥＧ−２  ＰＳ、またはＴＳのようなシステムレイヤと異なっている。
【０００４】
図２０は従来のＭＰ４ファイルフォーマットＦＴ１の例を示す図である。
【０００５】
図２０に示すように、ＭＰ４ファイルフォーマットＦＴ１のファイルタイプボックスＢＸＡには、そのファイルの互換性を示す情報が保存されている。ヘッダ部であるムーブボックスＢＸＢには、後述するメディアデータボックスＢＸＣに保存される各メディアデータの再生条件に関する情報として、メディアフレームの位置情報、時間情報、およびサイズ情報などが保存される。メディアデータボックスＢＸＣには、ビデオデータ、オーディオデータ、またはテキストデータなどのメディアデータが保存される。
【０００６】
ＭＰ４ファイルフォーマットでは、時間情報として、各メディアフレームについての再生時間ではなく再生時間長が保存されている。つまり、時間情報として、ビデオデータの１フレーム目を○○ミリ秒間再生する、２フレーム目を△△ミリ秒間再生する、といった情報が保存されている。したがって、ビデオはビデオデータの再生時間長のみによって再生され、オーディオはオーディオデータの再生時間長のみによって再生される。
【０００７】
携帯端末のユーザは、このようなＭＰ４ファイルフォーマットの複合コンテンツファイルを、自分の携帯端末で配信を受けて再生することができる。しかし、携帯端末が扱うことのできるコンテンツの最大サイズは、機種によって異なる。そのため、携帯端末で扱える最大サイズを超える場合は、コンテンツ配信サーバ側においてコンテンツを分割して複数のファイル（複合コンテンツファイル）を生成し、携帯端末においてはそれらを連続的に再生する必要があった。
【０００８】
サーバの伝送可能容量を超過するＭＭＳメッセージを携帯端末で伝送可能なサイズに分割する装置として、特許文献１に記載されるような装置が提案されている。つまり、特許文献１の装置は、画像信号及び音声信号などの入力を受ける入力部と、携帯端末の各部を制御し、入力部を通して入力される画像信号及び音声信号をマルチメディアデータに符号化した後に特定のサイズに分割し、分割されたデータの順番を指定して保存させる制御部と、マルチメディアデータ及び分割されたデータをそれぞれのファイルとして保存するバッファと、制御部によりバッファに保存されたそれぞれのファイルを順番に従って該当領域に保存するメモリ部と、制御部により携帯端末の運用情報、画像信号または音声信号を出力する出力部と、メモリ部に保存されたファイルを無線で送信する高周波部とを備える。
【特許文献１】特開２００５−８６８２６号公報
【発明の開示】
【発明が解決しようとする課題】
【０００９】
ところが、従来においては、分割された各メディアデータの再生条件に関する情報として各メディアデータの同期情報を保存する仕様となっていないので、次のような問題が生じる。
【００１０】
図２１および図２２はメディアデータを分割する方法の例を示す図である。
【００１１】
コンテンツに含まれる各メディアデータを分割する時間軸上の位置（以下、「分割ポイント」と記載する）は、図２１に示すように、ビデオデータを基本とし、しかもそのピクチャとピクチャとの境界位置とするのが一般的である。その理由は、ビデオデータの分割については、単独で再生可能なＩピクチャフレームが分割後のビデオデータの先頭となるようにする必要があり、分割ポイントは必然的にＩピクチャの位置に依存するからである。
【００１２】
したがって、その場合に、例えば、エレメンタリストリームのファイル化区間が指定された場合に、指定された区間のデータを完全に含む必要があるので、各メディアの区間はそれを含んだより広い範囲のものとなる。
【００１３】
しかし、そのように決めたビデオデータの分割ポイントがオーディオフレームの切れ目と完全に一致する可能性は極めて低い。そのため、図２１に示すように、オーディオデータは、ビデオデータの分割ポイントに対応する位置から一番近いフレームの切れ目で分割される。
【００１４】
そうすると、このようにして分割された各メディアデータの再生に際して、再生開始時における各メディアデータの先頭を揃えた場合に、ファイル２においてオーディオデータの再生タイミングがビデオデータよりも分割ポイントのずれの時間Ｔ１だけ遅れることとなる。また、ファイル１および２において各メディアデータの再生終了のタイミングがずれてしまうこととなる。
【００１５】
このようなタイミングのずれによって、映像の動きと音声とが一致しない、映像が終わったにもかかわらず音声がまだ鳴っている、音声が途切れる、などの違和感をユーザに与えることとなる。
【００１６】
また、再生時におけるビデオデータとオーディオデータとの時間軸上の位置を一致させるために、図２２に示すように、オーディオフレームの切れ目に合わせて、各メディアデータを分割する方法も考えられる。
【００１７】
しかし、この場合には、ビデオデータをＩピクチャフレームの途中で分割することになる。そうすると、分割された二つのＩピクチャフレームは、それぞれ単独で再生可能なフレームとする必要があるので、それぞれに完全なＩピクチャフレームが用いられることとなる。
【００１８】
したがって、このような分割を行った場合に、ファイル１および２のいずれのファイルにもサイズの大きなＩピクチャが含まれることとなり、１つのファイルに含まれるコンテンツの再生時間が短くなってしまう。
【００１９】
本発明は、このような問題点に鑑みてなされたもので、複合コンテンツファイルを分割した場合に、その再生時に映像と音声とのずれをユーザに感じさせることのないようにすることを目的とする。
【課題を解決するための手段】
【００２０】
本発明に係る方法は、複合コンテンツファイルに含まれる各メディアデータを時間軸上で分割し、時間的に先に再生されるべき第１複合コンテンツファイルと後に再生されるべき第２複合コンテンツファイルとを生成するとともに、前記第２複合コンテンツファイルに含まれる各メディアデータの再生開始時における時間軸上の位置ずれに関する情報を同期情報として当該第２複合コンテンツファイルに付加する。
【００２１】
好ましくは、前記第１複合コンテンツファイルに、前記第１複合コンテンツファイルに含まれる各メディアデータの再生終了時における時間軸上の位置ずれに関する情報を同期情報として付加する。
【００２２】
同期情報が設けられるので、再生時にこの同期情報に基づいて補正を行うことにより、映像と音声とのずれを解消できる。
【００２３】
本発明に係る装置は、入力されるメディアデータを時間軸上で分割して複数のメディアデータ群を生成する手段と、前記各メディアデータ群について、各メディアデータの時間軸上の位置ずれに関する情報および次に連続して再生すべきメディアデータ群を特定するための情報を、同期情報として生成する手段と、各メディアデータ群と当該各メディアデータ群についての同期情報とをそれぞれ組み合わせて複数の複合コンテンツファイルを生成する手段とを有する。
【００２４】
本発明に係る再生装置は、複合コンテンツファイルに付加された同期情報を取得する同期情報取得手段と、前記同期情報の中から、各メディアデータの再生時における時間軸上の位置ずれに関する情報を抽出する位置ずれ情報抽出手段と、前記同期情報の中から、当該複合コンテンツファイルの次に連続して再生すべき複合コンテンツファイルのファイル情報を抽出するファイル情報抽出手段と、抽出した時間軸上の位置ずれに関する情報に基づいて、各メディアデータの再生時における再生時間を補正する補正手段と、抽出した前記ファイル情報に基づいて次の複合コンテンツファイルを読み出し、再生中の当該複合コンテンツファイルの再生が終了したときにそれに連続して再生されるように、当該再生中の複合コンテンツファイルに含まれる各メディアデータの中で再生が終了したメディアデータごとにそれに連続するメディアデータを取得するメディアデータ取得手段とを有する。
【００２５】
次に連続して再生すべき複合コンテンツファイルのファイル情報が抽出された場合に、そのファイル情報に基づいて次の複合コンテンツファイルを読み出すことにより、連続再生が行われる。
【発明の効果】
【００２６】
本発明によると、複合コンテンツファイルを分割した場合に、その再生時に映像と音声とのずれをユーザに感じさせることのないようにすることができる。
【発明を実施するための最良の形態】
【００２７】
図１はコンテンツ配信システム１の全体的な構成の例を示す図、図２はコンテンツ編集装置１３のハードウェア構成の例を示すブロック図、図３は携帯端末ＵＥのハードウェア構成の例を示すブロック図である。
【００２８】
図１において、コンテンツ配信システム１は、コンテンツ配信サーバ１１、メディア管理サーバ１２、およびコンテンツ編集装置１３などを有する。
【００２９】
コンテンツ配信サーバ１１は、ゲートウエイ、交換機、基地局制御装置、および基地局などからなる図示しない移動体通信ネットワークに接続されており、携帯端末ＵＥからの要求に応じてコンテンツを配信する。つまり、コンテンツ配信サーバ１１は、携帯端末ＵＥから要求のあったコンテンツをメディア管理サーバ１２に対して要求し、メディア管理サーバ１２から取得したコンテンツを携帯端末ＵＥに送信するための処理を行う。
【００３０】
メディア管理サーバ１２は、多数のコンテンツＣＴを管理しており、コンテンツ配信サーバ１１からの要求に応じて、指定されたコンテンツＣＴをコンテンツ配信サーバ１１に送信する。メディア管理サーバ１２は、コンテンツＣＴとして、種々のメディアおよび種々の形式のデータを格納しまたは管理することが可能である。コンテンツＣＴには、例えば、複数種類のメディアデータが多重化された複合コンテンツファイルが含まれる。複合コンテンツファイルは、ビデオデータ、オーディオデータ、およびテキストデータなどの種類の異なるメディアデータの組み合わせからなる。
【００３１】
メディア管理サーバ１２は、それらのコンテンツＣＴを、必要に応じて配信に適した形式に符号化し、または配信に適したフォーマットのファイルに変換する。また、コンテンツＣＴまたはそのファイルのサイズが、要求のあった携帯端末ＵＥに対して配信するのに大き過ぎる場合には、コンテンツ編集装置１３に対し、複数のファイルに分割して編集することを依頼する。
【００３２】
コンテンツ編集装置１３は、メディア管理サーバ１２からの要求に応じて、コンテンツＣＴから、２つまたはそれ以上のコンテンツファイル（複合コンテンツファイル）ＣＦＢを生成し（編集し）、生成したコンテンツファイルＣＦＢをメディア管理サーバ１２に送る。
【００３３】
つまり、コンテンツ編集装置１３は、例えば、コンテンツＣＴを含んで構成されるコンテンツファイルＣＦに含まれる各メディアデータを、時間軸上で分割し、時間的に先に再生されるべき第１コンテンツファイル（第１複合コンテンツファイル）と後に再生されるべき第２コンテンツファイル（第２複合コンテンツファイル）とを生成するとともに、第２コンテンツファイルに含まれる各メディアデータの再生開始時における時間軸上の位置ずれに関する情報を、同期情報として当該第２コンテンツファイルに付加する。
【００３４】
また、その場合の第１コンテンツファイルに、第１コンテンツファイルに含まれる各メディアデータの再生終了時における時間軸上の位置ずれに関する情報を同期情報として付加する。さらに、第１コンテンツファイルに、第２コンテンツファイルのファイル情報を同期情報として付加する。さらに、第２コンテンツファイルに、第２コンテンツファイルに含まれる各メディアデータの再生終了時における時間軸上の位置ずれに関する情報を同期情報として付加する。
【００３５】
コンテンツ編集装置１３において、コンテンツファイルＣＦを分割することにより、そのサイズ（ファイル容量）を小さくし、携帯端末ＵＥにおいて受信することが可能でかつ再生することが可能なサイズとする。例えば、携帯端末ＵＥにおいて処理可能なファイルのサイズが５００Ｋｂｙｔｅであり、図１に示すファイル名が「Ａ」のコンテンツファイルＣＦのサイズが１Ｍｂｙｔｅであったとすると、コンテンツファイルＣＦが１つのファイルのままでは携帯端末ＵＥにおいて受信が不可能である。そこで、この場合には、コンテンツ編集装置１３において、コンテンツファイルＣＦを例えば２つに分割し（区分し）、例えば５００ＫｂｙｔｅのサイズのコンテンツファイルＣＦＢを２つ生成する。
【００３６】
また、コンテンツ編集装置１３は、コンテンツファイルＣＦの分割に際して、分割されたコンテンツファイルＣＦＢに同期情報を付加する。同期情報を付加することによって、分割されたコンテンツファイルＣＦＢを携帯端末ＵＥで再生する際に、ビデオデータによる映像とオーディオデータによる音声とテキストデータによる文字表示との間に、時間的なずれが生じることをなくし、携帯端末ＵＥのユーザにそれらの間のずれを感じさせないようにする。また、１つのコンテンツファイルＣＦＢを単体で再生したり、複数のコンテンツファイルＣＦＢを連続で再生することができ、いずれの場合においても映像と音声などとの間に時間的なずれを生じさせない。
【００３７】
なお、コンテンツファイルＣＦＢに同期情報を付加するに当たって、分割された各メディアデータと生成された同期情報とを組み合わせ、それぞれ１つのコンテンツファイル（複合コンテンツファイル）を生成してもよく、これらは同じことである。詳細については後述する。
【００３８】
図２に示すように、コンテンツ編集装置１３は、ＣＰＵ２１、ＲＡＭ２２、ＲＯＭ２３、磁気記憶装置２４、および通信インタフェース２５などによって構成される。表示装置やプリンタなどの出力装置、およびキーボードやポインティングデバイスなどの入力操作装置を備えることもある。
【００３９】
図３に示すように、携帯端末ＵＥは、ＣＰＵ３１、フラッシュメモリ３２、ＲＯＭ３３、通信ユニット３４、ディスプレイ３５、スピーカ（またはイヤホーン）３６、および操作ボタン３７などによって構成される。ＤＳＰやカメラなどを備えることもある。
【００４０】
次に、コンテンツ編集装置１３におけるコンテンツファイルＣＦの編集処理、および携帯端末ＵＥにおけるコンテンツファイルＣＦＢの再生処理について説明する。
【００４１】
図４はコンテンツ編集装置１３の機能的な構成を示すブロック図、図５および図６は携帯端末ＵＥにおけるコンテンツファイルＣＦの再生装置５０，５０Ｂに関する構成を示すブロック図である。なお、図５はコンテンツファイルＣＦを単体で再生する場合を、図６は複数のコンテンツファイルＣＦを連続で再生する場合を、それぞれ示す。
【００４２】
図４において、コンテンツ編集装置１３は、ビデオエンコーダ部４１、オーディオエンコーダ部４２、テキストエンコーダ部４３、ヘッダ生成部４４、およびパッキング部４５を有する。
【００４３】
コンテンツ編集装置１３には、コンテンツファイルＣＦに含まれる各メディアデータＤＭ、つまり、ビデオデータＤＶ、オーディオデータＤＵ、テキストデータＤＴが入力される。これら、ビデオデータＤＶ、オーディオデータＤＵ、およびテキストデータＤＴの集合を「メディアデータ群」と記載することがある。なお、コンテンツ編集装置１３に、コンテンツファイルＣＦまたはその各メディアデータＤＭを一時的に格納するためのメモリを設けておいてもよい。
【００４４】
ビデオエンコーダ部４１は、入力されたビデオデータＤＶを所望の適当な形式に符号化する。オーディオエンコーダ部４２は、入力されたオーディオデータＤＵを所望の適当な形式に符号化する。テキストエンコーダ部４３は、入力されたテキストデータＤＴを所望の適当な形式に符号化する。
【００４５】
ヘッダ生成部４４には、符号化された各メディアデータについて、それを分割した場合にそれらの時間情報および位置情報などの同期情報を生成する同期情報生成部４６が設けられる。ヘッダ生成部４４において生成された同期情報、および再生条件情報は、ヘッダ生成部４４の適当なメモリ領域にヘッダ部として格納される。
【００４６】
パッキング部４５は、各エンコーダ部４１〜４３から出力されるメディアデータと、ヘッダ生成部４４から出力されるヘッダ部とを、１つまたは複数の複合コンテンツファイルに詰め込んでパッキングする。つまり、パッキング部４５は、符号化された複数のメディアデータおよびヘッダ部をパッキングし、例えばＭＰ４ファイルフォーマットのような所定の形式の１つまたは複数の複合コンテンツファイルを生成する。生成された複合コンテンツファイルは、コンテンツファイルＣＦＢ１，ＣＦＢ２…として出力される。
【００４７】
図５において、再生装置５０は、バッファ５１、ファイル解析部５２、同期補正部５３、ヘッダ管理部５４、および表示処理部５５などによって構成される。
【００４８】
バッファ５１は、携帯端末ＵＥにダウンロードされる複合コンテンツファイルを格納するメモリ領域である。
【００４９】
ファイル解析部５２は、バッファ５１にダウンロードされた複合コンテンツファイルを解析し、そのヘッダ部をヘッダ管理部５４に対して出力する。また、ヘッダ部に同期情報が存在する場合に、その同期情報に基づいて、同期補正部５３で再生時間を補正し、映像や音声などのメディア間で時間的なずれが生じないようにする。
【００５０】
ヘッダ管理部５４は、入力されたヘッダ部に含まれるコーデック情報、時間情報、サイズ情報、およびオフセット情報などを保持し、管理する。
【００５１】
表示処理部５５は、ヘッダ管理部５４で管理されているサンプル情報を参照し、入力されたメディアデータをデコード部５６でデコードし、時間情報管理部５７での情報を元にして、映像およびテキストなどをディスプレイ３５に表示する。
【００５２】
図６において、再生装置５０Ｂは、２つのＡバッファ５１ＡおよびＢバッファ５１Ｂ、ファイル解析部５２、同期補正部５３、ヘッダ管理部５４、表示処理部５５、連続ファイル要求部５８、および音声処理部５９などによって構成される。
【００５３】
なお、図６に示す再生装置５０Ｂにおいて、図５に示す再生装置５０と同じ機能を有する部分には同じ符号を付して説明を省略する。
【００５４】
Ａバッファ５１ＡおよびＢバッファ５１Ｂは、携帯端末ＵＥにダウンロードされる複数のコンテンツファイルＣＦＢ１，２を交互に格納するメモリ領域である。
【００５５】
ファイル解析部５２は、Ａバッファ５１ＡにダウンロードされたコンテンツファイルＣＦＢ１を解析し、そのヘッダ部をヘッダ管理部５４に対して出力する。そして、同期情報に連続ファイル情報が含まれている場合は、その連続ファイル情報を連続ファイル要求部５８に対して出力する。
【００５６】
なお、「連続ファイル情報」は、本発明の「ファイル情報」に相当する。また「連続ファイル情報」は、次に連続して再生すべきメディアデータ群を特定するための情報でもある。
【００５７】
また、メディアデータを表示処理部５５および音声処理部５９に出力し、ヘッダ管理部５４のデータを使用して、デコード処理および時間管理処理を行い、ディスプレイ３５に表示しまたはスピーカ３６から音声を出力する。その際に、同期補正部５３は、ヘッダ部に同期情報があるときに、ビデオフレームの先頭と一番後ろの再生時間情報を補正値にしたがって補正する処理を行う。続けて、Ｂバッファ５１ＢにダウンロードされたコンテンツファイルＣＦＢ２についても同様の処理を行う。
【００５８】
ヘッダ管理部５４は、１つ目のコンテンツファイルＣＦＢのダウンロード終了を確認した後、連続ファイル要求部５８に次のコンテンツファイルＣＦＢのダウンロードを指示する。なお、ヘッダ管理部５４のヘッダＡ管理部５４Ａは、Ａバッファ５１ＡにダウンロードされたコンテンツファイルＣＦＢ１のヘッダ情報を管理し、ヘッダＢ管理部５４Ｂは、Ｂバッファ５１ＢにダウンロードされたコンテンツファイルＣＦＢ２のヘッダ情報を管理する。
【００５９】
連続ファイル要求部５８は、ファイル解析部５２から出力される連続ファイル情報を参照し、処理中のコンテンツファイルＣＦＢに連続する次のコンテンツファイルＣＦＢをコンテンツ配信サーバ１１に要求する処理を行う。
【００６０】
次に、コンテンツ編集についてさらに詳しく説明する。
【００６１】
図７はコンテンツ編集装置１３のコンテンツ編集についての機能的な構成を示すブロック図、図８は同期情報の例を示す図、図９はコンテンツ編集装置１３によって生成されるコンテンツファイルＣＦＢの構成の例を示す図である。
【００６２】
図７において、コンテンツ編集装置１３は、分割部６１、再生条件情報生成部６２、および同期情報生成部６３を有する。
【００６３】
分割部６１は、コンテンツファイルＣＦに含まれる各メディアデータについて、そのまままたは適当な符号化を行ったものを時間軸上で分割して、時間的に先に再生されるべき第１メディアデータ（第１メディアデータ群）ＤＭＡと後に再生されるべき第２メディアデータ（第２メディアデータ群）ＤＭＢとを生成する。
【００６４】
再生条件情報生成部６２は、各メディアデータＤＭを再生するための情報である再生条件情報ＲＴを生成する。再生条件情報ＲＴには、各メディアデータＤＭのフレーム単位の再生時間を示す時間情報、各メディアデータＤＭの各フレームのサイズを示すサイズ情報、各メディアデータＤＭの各フレームの格納場所を示すオフセット情報、およびフレームのかたまりの単位を表すチャンク情報などが示される。再生条件情報ＲＴおよび前述した同期情報ＤＴは各メディアデータＤＭのいわゆるヘッダーである。
【００６５】
同期情報生成部６３は、各メディアデータＤＭの再生時における時間軸上の位置ずれに関する情報である同期情報ＤＴを生成する。
【００６６】
図８に示すように、同期情報ＤＴには、同期情報であることを示す同期情報タグ、同期情報ＤＴのサイズを示す同期情報サイズ、同期情報ＤＴに係る複合コンテンツファイルに連続して再生されるべき複合コンテンツファイルに関する情報である連続ファイル情報ＤＴＦ、各メディアデータＤＭの再生開始時における時間軸上の位置ずれに関する情報である先頭ピクチャ補正情報ＤＴＴ、および各メディアデータＤＭの再生終了時における時間軸上の位置ずれに関する情報である後ピクチャ補正情報ＤＴＢなどが含まれる。
【００６７】
また、パッキング部４５は、上でも述べたように、符号化されたメディアデータＤＭ、再生条件情報ＲＴ、および同期情報ＤＴを、一つのファイルに編集（パッキング）し、コンテンツファイルＣＦＢを生成する。つまり、パッキング部４５において、メディアデータＤＭに同期情報ＤＴが付加される。
【００６８】
図９において、コンテンツファイルＣＦＢは、ファイルタイプボックスＢＸＡ、ムーブボックスＢＸＢ、メディアデータボックスＢＸＣ、およびシンクロボックスＢＸＤからなる。これらは図２１において説明したボックスと同じ機能を有するものがあるので、主として異なる機能について説明する。
【００６９】
ムーブボックスＢＸＢは、各メディアデータＤＭについて、それぞれの再生条件情報ＲＴを記憶する記憶領域ｓｔｂｌから構成されている。つまり、各記憶領域ｓｔｂｌは、各メディアデータＤＭのフレーム単位の再生時間を示す時間情報を記憶する領域ｓｔｔｓ、各メディアデータＤＭの各フレームのサイズを示すサイズ情報を記憶する領域ｓｔｓｚ、各メディアデータＤＭの各フレームの格納場所を示すオフセット情報を記憶する領域ｓｔｓｃ、および、フレームのかたまりの単位を表すチャンク情報を記憶する領域ｓｔｃｏを有する。
【００７０】
シンクロボックスＢＸＤには、同期情報生成部６３によって生成された同期情報ＤＴが格納される。なお、シンクロボックスＢＸＤは、本実施形態においてＭＰ４の拡張エリアとして新しく定義して設けられたものである。
【００７１】
次に、ファイル編集（複合コンテンツファイル編集）の具体例について説明する。
【００７２】
図１０はコンテンツファイルＣＦのメディアデータＤＭの分割の例を示す図、図１１は分割後の第１メディアデータＤＭＡの例を示す図、図１２は分割後の第２メディアデータＤＭＢの例を示す図、図１３は分割後のコンテンツファイルＣＦＢについての同期情報ＤＴ１，２の例を示す図である。なお、第１メディアデータＤＭＡは第１コンテンツファイルＣＦＢ１を構成し、第２メディアデータＤＭＢは第２コンテンツファイルＣＦＢ２を構成する。
【００７３】
図１０において、まず、ビデオデータの分割ポイントを決定する。そして、オーディオデータの分割ポイントを、ビデオデータの分割ポイントに対応する位置から一番近いフレームの切れ目とする。テキストデータの分割ポイントは、ビデオデータの分割ポイントに対応する位置とする。このようにして決定したそれぞれの分割ポイントにおいて、各メディアデータＤＭを分割する。
【００７４】
なお、図１０においては各メディアデータＤＭを２つに分割する例を示しているが、３つ以上に分割することも可能である。分割の個数は、分割後のコンテンツファイルＣＦＢが携帯端末ＵＥに配信可能なサイズとなるようにすればよい。
【００７５】
また、同期情報ＤＴである先頭ピクチャ補正情報ＴＤＴおよび後ピクチャ補正情報ＢＤＴ（図８参照）は、ビデオデータおよびオーディオデータとの再生開始時および再生終了時における時間軸上の位置ずれを算出することによって生成される。
【００７６】
例えば、図１０に示すように各メディアデータＤＭを分割した場合は、まず、時間的に先に再生されるべきビデオデータとオーディオデータとの再生終了時における時間軸上の位置ずれに着目する。
【００７７】
この場合、図１１に示すように、再生終了時におけるビデオデータの時間軸上の位置がオーディオデータに比べて１０ミリ秒だけ長く（遅く）なっている。そのため、再生終了時におけるビデオデータとオーディオデータとの同期をとるためには、再生終了時におけるビデオデータのＰピクチャの再生を１０ミリ秒だけ早く終了させる必要がある。
【００７８】
したがって、第１コンテンツファイルＣＦＢ１の同期情報ＤＴ１における後ピクチャ補正情報ＤＴＢ１は「−１０ｍｓｅｃ」となる（図１３参照）。先頭ピクチャ補正情報ＤＴＴ１については、ビデオデータとオーディオデータとの再生開始時における時間軸上の位置ずれがないので、「０」となる。
【００７９】
第２コンテンツファイルＣＦＢ２に格納されるビデオデータおよびオーディオデータについては、図１２に示すように、再生開始時におけるビデオデータの時間軸上の位置がオーディオデータに比べて１０ミリ秒だけ短く（遅く）なっている。また、再生終了時におけるビデオデータの時間軸上の位置がオーディオデータに比べて６ミリ秒だけ短く（早く）なっている。そのため、再生時におけるビデオデータとオーディオデータとの同期をとるためには、再生開始時におけるビデオデータのＩピクチャの再生時間を１０ミリ秒だけ延長し、再生終了時におけるビデオデータのＰピクチャの再生時間も６ミリ秒だけ延長する必要がある。したがって、第２コンテンツファイルＣＦＢ２の同期情報ＤＴ２における先頭ピクチャ補正情報ＤＴＴ２は「１０ｍｓｅｃ」となり、後ピクチャ補正情報ＤＴＢ２は「６ｍｓｅｃ」となる（図１３参照）。
【００８０】
第１コンテンツファイルＣＦＢ１の連続ファイル情報ＤＴＦ１は、第２コンテンツファイルＣＦＢ２の保存場所を示すＵＲＬ（Uniform Resource Locator）などが用いられる。また、第２コンテンツファイルＣＦＢ２のように次に連続して再生されるべきファイルが存在しない場合は、連続ファイル情報ＤＴＦ２は「Ｎｕｌｌ」となる。
【００８１】
次に、コンテンツ再生（複合コンテンツファイル再生）についてさらに詳しく説明する。
【００８２】
図１４は携帯端末ＵＥのコンテンツ再生についての機能的な構成を示す図である。
【００８３】
図１４において、携帯端末ＵＥは、同期情報取得部７１、位置ずれ情報抽出部７２、ファイル情報抽出部７３、メディアデータ取得部７４、再生制御部７５、および補正部７６などを有する。
【００８４】
同期情報取得部７１は、Ａバッファ５１ＡまたはＢバッファ５１ＢにダウンロードされたコンテンツファイルＣＦＢに付加された同期情報ＤＴを取得する。
【００８５】
位置ずれ情報抽出部７２は、同期情報ＤＴの中から、各メディアデータＤＭの再生時における時間軸上の位置ずれに関する情報（先頭ピクチャ補正情報ＤＴＴおよび後ピクチャ補正情報ＤＴＢ）を抽出する。
【００８６】
ファイル情報抽出部７３は、同期情報ＤＴの中から、当該コンテンツファイルＣＦＢの次に連続して再生すべきコンテンツファイルＣＦＢのファイル情報である連続ファイル情報ＤＴＦを抽出する。
【００８７】
メディアデータ取得部７４は、抽出した連続ファイル情報ＤＴＦに基づいて次の複合コンテンツファイルを読み出し、再生中の当該コンテンツファイルＣＦＢの再生が終了したときにそれに連続して再生されるように、当該再生中のコンテンツファイルＣＦＢに含まれる各メディアデータＤＭの中で再生が終了したメディアデータＤＭごとにそれに連続するメディアデータＤＭを取得する。
【００８８】
再生制御部７５は、コンテンツファイルＣＦＢのメディアデータＤＭを再生するための処理および制御を行う。
【００８９】
補正部７６は、抽出した時間軸上の位置ずれに関する情報に基づいて、各メディアデータＤＭの再生時における再生時間を補正する。その補正に際して、同期情報ＤＴの中から連続ファイル情報ＤＴＦが抽出されない場合に、コンテンツファイルＣＦＢに含まれる各メディアデータＤＭの再生終了時における再生時間の補正を行う。つまり、同期情報ＤＴの中から連続ファイル情報ＤＴＦが抽出された場合には、当該コンテンツファイルＣＦＢの再生に際しての補正は行わない。
【００９０】
次に、コンテンツ再生の具体例について説明する。まず連続再生について説明する。
【００９１】
図１５は連続再生時における補正の例を示す図である。
【００９２】
図１５において、第１コンテンツファイルＣＦＢ１の同期情報ＤＴ１には連続ファイル情報ＤＴＦ１が存在しているので（図１３参照）、その次に連続して再生すべき第２コンテンツファイルＣＦＢ２が連続して再生される。つまり、第１コンテンツファイルＣＦＢ１の各メディアデータＤＭのうち再生が終了したメディアデータＤＭごとに、他のメディアデータＤＭの終了を待つことなく、次に再生されるべきメディアデータＤＭがバッファから読み出され、間隔をあけることなく連続して再生される。
【００９３】
図１５の例では、第１コンテンツファイルＣＦＢ１のビデオデータＤＶの最後のＰピクチャが正規の時間だけ再生された直後に、第２コンテンツファイルＣＦＢ２の最初のＩピクチャが同じく正規の時間だけ再生される。オーディオデータＤＵおよびテキストデータＤＴについても、第１コンテンツファイルＣＦＢ１の最後のフレームに続けて第２コンテンツファイルＣＦＢ２の最初のフレームが再生される。
【００９４】
第２コンテンツファイルＣＦＢ２の再生に当たって、その次に再生すべきコンテンツファイルＣＦＢがあるか否かが同期情報ＤＴ２によってチェックされるが、連続ファイル情報ＤＴＦ２が存在していないので（図１３参照）、第２コンテンツファイルＣＦＢ２が最後であることが認識される。その場合に、第２コンテンツファイルＣＦＢ２の再生における終了時についてのみ、必要に応じて補正が行われる。
【００９５】
このように、コンテンツ編集装置１３において複数に分割されたコンテンツファイルＣＦＢ１，２は、携帯端末ＵＥにおいて、それぞれのメディアデータＤＭが連続して再生され、再生の終了時には必要に応じて補正が行われる。その結果、携帯端末ＵＥのユーザにとっては、元のコンテンツファイルＣＦをそのまま再生した場合と何らの変化を感じさせない。また、元のコンテンツファイルＣＦにおいて各メディアデータＤＭの時間長さが異なっていた場合であっても、再生の終了時には補正が行われ、違和感は解消される。
【００９６】
次に、各コンテンツファイルＣＦＢ１，２を単体で再生する場合について説明する。
【００９７】
図１６は第１コンテンツファイルＣＦＢ１の単体再生時における補正の例を示す図、図１７は第２コンテンツファイルＣＦＢ２の単体再生時における補正の例を示す図である。      
【００９８】
図１６において、第１コンテンツファイルＣＦＢ１の単体再生に当たり、同期情報ＤＴ１に基づいて各メディアデータＤＭの時間軸上の位置ずれを補正する処理を行う。同期情報ＤＴ１によると、先頭ピクチャ補正情報ＤＴＴ１が「０」であり、後ピクチャ補正情報ＤＴＢ１が「−１０ｍｓｅｃ」である（図１３参照）。したがって、ビデオデータＤＶの再生開始時には補正を行わない。再生終了時には、Ｐピクチャの再生時間を６６ミリ秒から５６ミリ秒と短くなるように補正する。そのためには、例えば最終のＰピクチャが５６ミリ秒で終わるように再生速度を速めて再生する。これにより、ビデオデータＤＶとオーディオデータＤＵとテキストデータＤＴとの再生終了時における時間軸上の位置のずれが解消し、同期がとれることとなる。
【００９９】
図１７において、同期情報ＤＴ２によると、先頭ピクチャ補正情報ＤＴＴ２が「１０ミリ秒」であり、後ピクチャ補正情報ＤＴＢ２が「６ミリ秒」である。したがって、ビデオデータの再生開始時におけるＩピクチャの再生時間を６６ミリ秒から７６ミリ秒に補正し、再生終了時におけるＰピクチャの再生時間を６６ミリ秒から７２ミリ秒に補正する。そのためには、例えば、最初のＩピクチャをオーディオデータＤＵと同時に再生開始するとともに、再生速度を遅くして再生時間が７６ミリ秒となるようにする。また、最後のＰピクチャの再生速度を遅くして再生時間が７２ミリ秒となるようにする。
【０１００】
このように、分割されたコンテンツファイルＣＦＢを単体で再生する場合に、時間軸上の位置ずれの補正を行うことにより、再生の開始時と終了時において全部のメディアデータＤＭの間でずれがなく一致することとなる。これによって、再生時に映像と音声とのずれをユーザに感じさせることなく再生ができる。
【０１０１】
なお、分割されたコンテンツファイルＣＦＢを携帯端末ＵＥにおいて再生する場合に、通常は、一連のコンテンツファイルＣＦＢ１，２，３…を順次連続して再生する。その場合に、最後のコンテンツファイルＣＦＢの終了時において、時間軸上の位置が一致するよう必要に応じて補正を行われる。
【０１０２】
ユーザが分割されたコンテンツファイルＣＦＢを単体で再生したい場合には、携帯端末ＵＥに設けられた図示しないボタンを操作することによって「単体再生モード」が選択され、上に述べたような単体再生が行われる。また、その場合に、分割された複数のコンテンツファイルＣＦＢ１，２，３…の中から単体再生を行いたいコンテンツファイルを選択するためのボタンを設けておけばよい。
【０１０３】
上に述べたように、本実施形態のファイル編集およびコンテンツ再生の方法によれば、携帯端末ＵＥにおいて、コンテンツＣＴの単体再生または連続再生のいずれを行う場合においても、同期が崩れることなく、したがってユーザは違和感なくコンテンツＣＴの視聴を行うことができる。
【０１０４】
そして、同期をとるために設けられた同期情報ＤＴは数バイト程度の小容量であるので、同期情報ＤＴを設けたことによって処理の負荷が増大するほどのことはなく、従来から存在するコンテンツ配信システム１にそのような機能を追加することによっても容易に実施することが可能である。
【０１０５】
次に、ファイル編集およびコンテンツ再生について、フローチャートを参照して説明する。
【０１０６】
図１８はファイル編集の概略の流れを示すフローチャート、図１９はコンテンツ再生の概略の流れを示すフローチャートである。
【０１０７】
図１８において、編集を行うべきコンテンツＣＴまたはコンテンツファイルＣＦが入力されると（＃１１）、必要に応じて符号化を行う（＃１２）。各メディアデータを時間軸上で分割して複数のメディアデータ群を生成する（＃１３）。各メディアデータ群について、各メディアデータの時間軸上の位置ずれに関する情報および次に連続して再生すべきメディアデータ群を特定するための情報を、同期情報として生成する（＃１４）。また、再生条件情報ＲＴを生成する（＃１５）。各メディアデータ群と当該各メディアデータ群についての同期情報とをそれぞれ組み合わせて複数のコンテンツファイルＣＦＢを生成する（＃１６）。
【０１０８】
図１９において、コンテンツファイルＣＦＢが入力されると（＃２１）、ファイル解析を行って同期情報ＤＴを取得する（＃２２）。同期情報ＤＴの中から、各メディアデータの再生時における時間軸上の位置ずれに関する情報がある場合にそれを抽出する（＃２３）。連続ファイル情報ＤＴＦがあるか否かをチェックし、あればそれを取得する（＃２４）。連続ファイル情報ＤＴＦがあった場合には、単体再生モードでない場合に（＃２５でイエス）、連続再生を行い（＃２６）、再生終了時においてのみ必要な補正を行う（＃２７）。
【０１０９】
連続ファイル情報ＤＴＦがない場合（＃２４でノー）、または単体再生モードの場合（＃２５でノー）には、抽出した時間軸上の位置ずれに関する情報に基づいて、各メディアデータの再生時間を補正しながら再生を行う（＃２８）。
【０１１０】
上に述べた実施形態において、コンテンツ編集装置１３、再生装置５０、コンテンツ配信システム１、または携帯端末ＵＥの全体または各部の構成、処理内容、処理順序、コンテンツファイルＣＦ，ＣＦＢの構成、同期情報ＤＴの構成などは、本発明の趣旨に沿って適宜変更することができる。
【０１１１】
上に述べた実施例には、以下に述べるような付記も開示されている。
（付記１）
複数種類のメディアデータが多重化された複合コンテンツファイルを編集する方法であって、
前記複合コンテンツファイルに含まれる各メディアデータを時間軸上で分割し、時間的に先に再生されるべき第１複合コンテンツファイルと後に再生されるべき第２複合コンテンツファイルとを生成するとともに、
前記第２複合コンテンツファイルに含まれる各メディアデータの再生開始時における時間軸上の位置ずれに関する情報を同期情報として当該第２複合コンテンツファイルに付加する、
ことを特徴とする複合コンテンツファイルの編集方法。
（付記２）
前記第１複合コンテンツファイルに、前記第１複合コンテンツファイルに含まれる各メディアデータの再生終了時における時間軸上の位置ずれに関する情報を同期情報として付加する、
付記１記載の複合コンテンツファイルの編集方法。
（付記３）
前記第１複合コンテンツファイルに、前記第２複合コンテンツファイルのファイル情報を同期情報として付加する、
付記１または２記載の複合コンテンツファイルの編集方法。
（付記４）
前記第２複合コンテンツファイルに、前記第２複合コンテンツファイルに含まれる各メディアデータの再生終了時における時間軸上の位置ずれに関する情報を同期情報として付加する、
付記１乃至３のいずれかに記載の複合コンテンツファイルの編集方法。
（付記５）
複数種類のメディアデータが多重化された複合コンテンツファイルを編集する方法であって、
入力されるメディアデータを時間軸上で分割して複数のメディアデータ群を生成するステップと、
前記各メディアデータ群について、各メディアデータの時間軸上の位置ずれに関する情報および次に連続して再生すべきメディアデータ群を特定するための情報を、同期情報として生成するステップと、
各メディアデータ群と当該各メディアデータ群についての同期情報とをそれぞれ組み合わせて複数の複合コンテンツファイルを生成するステップと、
を有することを特徴とする複合コンテンツファイルの編集方法。
（付記６）
複数種類のメディアデータが多重化された複合コンテンツファイルを編集する装置であって、
前記複合コンテンツファイルに含まれる各メディアデータを時間軸上で分割して、時間的に先に再生されるべき第１複合コンテンツファイルと後に再生されるべき第２複合コンテンツファイルとを生成する分割手段と、
前記第１複合コンテンツファイルおよび前記第２複合コンテンツファイルに、それぞれに含まれる各メディアデータの再生時における時間軸上の位置ずれに関する情報およびそれぞれの次に連続して再生すべきファイルのファイル情報を、同期情報として付加する同期情報付加手段と、
を有することを特徴とする複合コンテンツファイルの編集装置。
（付記７）
複数種類のメディアデータが多重化された複合コンテンツファイルを編集する装置であって、
入力されるメディアデータを時間軸上で分割して複数のメディアデータ群を生成する手段と、
前記各メディアデータ群について、各メディアデータの時間軸上の位置ずれに関する情報および次に連続して再生すべきメディアデータ群を特定するための情報を、同期情報として生成する手段と、
各メディアデータ群と当該各メディアデータ群についての同期情報とをそれぞれ組み合わせて複数の複合コンテンツファイルを生成する手段と、
を有することを特徴とする複合コンテンツファイルの編集装置。
（付記８）
複数種類のメディアデータが多重化された複合コンテンツファイルを再生する方法であって、
前記複合コンテンツファイルに付加された同期情報を取得し、
前記同期情報の中から、各メディアデータの再生時における時間軸上の位置ずれに関する情報を抽出し、
抽出した時間軸上の位置ずれに関する情報に基づいて、各メディアデータの再生時における再生時間を補正する、
ことを特徴とする複合コンテンツファイルの再生方法。
（付記９）
複数種類のメディアデータが多重化された複合コンテンツファイルを再生する方法であって、
前記複合コンテンツファイルに付加された同期情報を取得し、
前記同期情報の中から、当該複合コンテンツファイルの次に連続して再生すべき複合コンテンツファイルのファイル情報を抽出し、
抽出した前記ファイル情報に基づいて、再生中の当該複合コンテンツファイルの次に連続して再生すべき複合コンテンツファイルを読み出し、再生中の当該複合コンテンツファイルに含まれる各メディアデータの中で再生が終了したメディアデータごとにそれに連続するメディアデータを取得して再生し、
前記同期情報の中から前記ファイル情報を抽出できない場合は、当該同期情報の中から抽出した再生時における時間軸上の位置ずれに関する情報に基づいて、当該各メディアデータの再生終了時における再生時間を補正する、
ことを特徴とする複合コンテンツファイルの再生方法。
（付記１０）
複数種類のメディアデータが多重化された複合コンテンツファイルを再生する装置であって、
前記複合コンテンツファイルに付加された同期情報を取得する同期情報取得手段と、
前記同期情報の中から、各メディアデータの再生時における時間軸上の位置ずれに関する情報を抽出する位置ずれ情報抽出手段と、
前記同期情報の中から、当該複合コンテンツファイルの次に連続して再生すべき複合コンテンツファイルのファイル情報を抽出するファイル情報抽出手段と、
抽出した時間軸上の位置ずれに関する情報に基づいて、各メディアデータの再生時における再生時間を補正する補正手段と、
抽出した前記ファイル情報に基づいて次の複合コンテンツファイルを読み出し、再生中の当該複合コンテンツファイルの再生が終了したときにそれに連続して再生されるように、当該再生中の複合コンテンツファイルに含まれる各メディアデータの中で再生が終了したメディアデータごとにそれに連続するメディアデータを取得するメディアデータ取得手段と、
を有することを特徴とする複合コンテンツファイルの再生装置。
（付記１１）
前記補正手段は、前記同期情報の中から前記ファイル情報が抽出されない場合に、前記複合コンテンツファイルに含まれる各メディアデータの再生終了時における再生時間の補正を行う、
付記１０記載の複合コンテンツファイルの再生装置。
【図面の簡単な説明】
【０１１２】
【図１】コンテンツ配信システムの全体的な構成の例を示す図である。
【図２】コンテンツ編集装置のハードウェア構成の例を示すブロック図である。
【図３】携帯端末のハードウェア構成の例を示すブロック図である。
【図４】コンテンツ編集装置の機能的な構成を示すブロック図である。
【図５】単体再生における再生装置に関する構成を示すブロック図である。
【図６】連続再生における再生装置に関する構成を示すブロック図である。
【図７】コンテンツ編集装置の機能的な構成を示すブロック図である。
【図８】同期情報の例を示す図である。
【図９】コンテンツファイルの構成の例を示す図である。
【図１０】コンテンツファイルのメディアデータの分割の例を示す図である。
【図１１】分割後の第１メディアデータの例を示す図である。
【図１２】分割後の第２メディアデータの例を示す図である。
【図１３】分割後のコンテンツファイルについての同期情報の例を示す図である。
【図１４】携帯端末のコンテンツ再生についての機能的な構成を示す図である。
【図１５】連続再生時における補正の例を示す図である。
【図１６】第１コンテンツファイルの単体再生時における補正の例を示す図である。
【図１７】第２コンテンツファイルの単体再生時における補正の例を示す図である。
【図１８】ファイル編集の概略の流れを示すフローチャートである。
【図１９】コンテンツ再生の概略の流れを示すフローチャートである。
【図２０】従来のＭＰ４ファイルフォーマットの例を示す図である。
【図２１】メディアデータを分割する方法の例を示す図である。
【図２２】メディアデータを分割する方法の例を示す図である。
【符号の説明】
【０１１３】
１  コンテンツ配信システム
１３  コンテンツ編集装置（編集装置）
４５  パッキング部（組み合わせて複数の複合コンテンツファイルを生成する手段）
５８  連続ファイル要求部
６１  分割部（複数のメディアデータ群を生成する手段）
６２  再生条件情報生成部
６３  同期情報生成部（同期情報として生成する手段）
７１  同期情報取得部（同期情報取得手段）
７２  位置ずれ情報抽出部（位置ずれ情報抽出手段）
７３  ファイル情報抽出部（ファイル情報抽出手段）
７４  メディアデータ取得部（メディアデータ取得手段）
７５  再生制御部
７６  補正部（補正手段）
ＣＦ，ＣＦＢ  コンテンツファイル（複合コンテンツファイル）
ＣＦＢ１  第１コンテンツファイル（第１複合コンテンツファイル）
ＣＦＢ２  第２コンテンツファイル（第２複合コンテンツファイル）
ＤＭ  メディアデータ
ＤＴ  同期情報
ＤＴＦ  連続ファイル情報（ファイル情報）
【図１】
2008153886.tif 000003
【図２】
2008153886.tif 000004
【図３】
2008153886.tif 000005
【図４】
2008153886.tif 000006
【図５】
2008153886.tif 000007
【図６】
2008153886.tif 000008
【図７】
2008153886.tif 000009
【図８】
2008153886.tif 000010
【図９】
2008153886.tif 000011
【図１０】
2008153886.tif 000012
【図１１】
2008153886.tif 000013
【図１２】
2008153886.tif 000014
【図１３】
2008153886.tif 000015
【図１４】
2008153886.tif 000016
【図１５】
2008153886.tif 000017
【図１６】
2008153886.tif 000018
【図１７】
2008153886.tif 000019
【図１８】
2008153886.tif 000020
【図１９】
2008153886.tif 000021
【図２０】
2008153886.tif 000022
【図２１】
2008153886.tif 000023
【図２２】
2008153886.tif 000024